(57)【要約】【課題】１つのトレーで多種の幅のキャリアテープを収納することができ、少量多品種基板に実装部品を搭載する場合にコストを削減することができるキャリアテープ収納用トレーを提供すること。【解決手段】キャリアテープ収納用トレーを、板状のベース２と、該ベース２上に並設された複数の取付部５と、該複数の取付部５にわたって取り付けられる複数のキャリアテープ載置用ガイド３とを備え、該ガイド３は隣り合うガイド３との間でキャリアテープ６を載置する手段を設ける、前記取付部３の上面に長手方向に孔または突起を一定の間隔で多数設けるとともに、前記ガイド３の下面に前記取付部５の孔または突起に嵌合する突起または孔を設けて、ガイド３を前記孔と突起との嵌合により着脱自在にかつキャリアテープの幅に応じて移動自在に形成した。【選択図】　　　　　図１
2004022728.tif 000002
【特許請求の範囲】
【請求項１】
板状のベースと、該ベース上に並設された複数の取付部と、該複数の取付部にわたって取り付けられる複数のキャリアテープ載置用ガイドとを備え、該ガイドは隣り合うガイドとの間でキャリアテープを載置する手段を設け、前記取付部の上面に長手方向に孔または突起を一定の間隔で多数設けるとともに、前記ガイドの下面に前記取付部の孔または突起に嵌合する突起または孔を設けて、各ガイドを前記孔と突起との嵌合により着脱自在にかつキャリアテープの幅に応じて移動自在に形成したキャリアテープ収納用トレー。
【請求項２】
前記孔をガイドの長手方向に長孔に形成するとともに、前記取付部の下部に長手方向（前記多数の孔または突起の列方向）に沿って凹部を設け、ガイドに前記凹部に係合するフック部を設け、前記突起と長孔を嵌合させた後、スライドさせて、凹部とフック部を係合させてなる請求項１記載のキャリアテープ収納用トレー。
【請求項３】
前記取付部の凹部は両側に形成され、前記ガイドに前記スライド時に前記取付部のフック部と係合する凹部と反対側の凹部に着脱自在に係合するスナップ部を設けた請求項２記載のキャリアテープ収納用トレー。
【請求項４】
前記取付部の孔または突起の横にそれらの間隔に応じて形成された多数のマークからなる目盛りを設けるとともに、この目盛りは隣り合うマークの位置をガイドの長手方向にずらしたことを特徴とする請求項１または請求項２または請求項３記載のキャリアテープ収納用トレー。
【請求項５】
前記ガイドの上面にガイドを取付部に取り付ける時に前記フック部がじゃまにならないようにガイドの挿入位置を合わせるための位置合わせ用の矢印を設けた請求項２または請求項３または請求項４記載のキャリアテープ収納用トレー。
【発明の詳細な説明】
【０００１】
【発明の属する技術分野】
本発明は、表面実装部品を自動搭載機によりプリント基板上に搭載する際に用いる角穴キャリアテープやエンボスキャリアテープ等のキャリアテープを収納するキャリアテープ収納用トレーに関する。
【０００２】
【従来の技術】
プリント基板上に搭載される表面実装部品は、自動搭載機により取り上げられて基板上の所定位置に搭載されるのに適した状態で、テープリール、スティック、又は専用トレー等により収納、保持されている。
【０００３】
このうち周知のエンボスキャリアテープ等に部品を保持しリール状に巻いたテープリールを使用して実装する場合は、１リールが保持する部品の数量が１０００ヶ〜５０００ヶ単位であるため、多品種少量基板に実装する場合は残りの未使用部分が無駄になり、費用の無駄が大きすぎて１リールそのまま購入して使用することができないし、再使用する場合も段取り替えが増え、効率が悪い。
【０００４】
従って、多品種少量基板の実装においては、実装部品はスティックで購入、または各個々（１ヶずつ）に購入していた。ここで、スティックで実装する場合は、専用実装機（スティックフィーダー）が必要となり費用がかかりすぎる。また、実装部品の詰まりの問題や段取りに数時間かかるなどの問題があり、多品種少量基板に向かない。また、各個々で購入した部品の実装では、人間の手実装を行っているが、手実装のミスが発生する。また、専用トレーにより実装する場合は、実装する部品に合わせて多種の専用トレーを用意する必要があるため、トレーの金型代が多大にかかるという問題がある。
【０００５】
【発明が解決しようとする課題】
本発明は、上記従来技術の問題点を解決することをその課題とするものであり、１つのトレーで多種の幅のキャリアテープを収納することができ、少量多品種基板に実装部品を搭載する場合にコストを削減することができるキャリアテープ収納用トレーを提供することをその目的とするものである。
【０００６】
【課題を解決するための手段】
本発明はこの目的を達成するため次のような構成を採用している。
【０００７】
つまり、本発明のキャリアテープ収納用トレーは、板状のベースと、該ベース上に並設された複数の取付部と、該複数の取付部にわたって取り付けられる複数のキャリアテープ載置用ガイドとを備え、該ガイドは隣り合うガイドとの間でキャリアテープを載置する手段を設け、前記取付部の上面に長手方向に孔または突起を一定の間隔で多数設けるとともに、前記ガイドの下面に前記取付部の孔または突起に嵌合する突起または孔を設けて、各ガイドを前記孔と突起との嵌合により着脱自在にかつキャリアテープの幅に応じて移動自在に形成したものである。
【０００８】
また、本発明のキャリアテープ収納用トレーは、前記孔をガイドの長手方向に長孔に形成するとともに、前記取付部の下部に長手方向（前記多数の孔または突起の列方向）に沿って凹部を設け、ガイドに前記凹部に係合するフック部を設け、前記突起と長孔を嵌合させた後、スライドさせて、凹部とフック部を係合させることが望ましい。
【０００９】
また、本発明のキャリアテープ収納用トレーは、前記取付部の凹部は両側に形成され、前記ガイドに前記スライド時に前記取付部のフック部と係合する凹部と反対側の凹部に着脱自在に係合するスナップ部を設けることが望ましい。
【００１０】
また、本発明のキャリアテープ収納用トレーは、前記取付部の孔または突起の横にそれらの間隔に応じて形成された多数のマークからなる目盛りを設けるとともに、この目盛りは隣り合うマークの位置をガイドの長手方向にずらすことが望ましい。
【００１１】
また、本発明のキャリアテープ収納用トレーは、前記ガイドの上面にガイドを取付部に取り付ける時に前記フック部がじゃまにならないようにガイドの挿入位置を合わせるための位置合わせ用の矢印を設けることが望ましい。
【００１２】
【発明の実施の形態】
次に本発明に係るキャリアテープ収納用トレーの実施の形態（以下、実施例という）を図面に基づいて説明する。
【００１３】
【実施例】
図１は本発明第一実施例のキャリアテープ収納用トレーの概要を示す斜視図であり、図２は図１の分解斜視図であり、図３は本発明第一実施例のキャリアテープ収納用トレーの要部の平面図であり、図４は図３の一部破断の正面図である。
【００１４】
本発明第一実施例のキャリアテープ収納用トレー１は、板状のベース２と、該ベース２上に並設された複数の長尺状の取付部５（図示実施例では４本）と、該取付部５に直交するように複数の取付部５，５，５，５にわたって取り付けられるキャリアテープ載置用ガイド３，３，・・を少なくとも２本（一対）（図示実施例では５本つまり４対）備えたものである。以下、各構成について詳細に説明する。
【００１５】
板状のベース２には、上面に多数の孔７を４ｍｍの間隔で長手方向に一列に設けた取付部５を適度な間隔で複数（図示実施例では４本）配置している。取付部５はベース２にネジ止めされているが、ベース２側の外側の取付孔９を取付部３の長手方向に長孔にして、材質の違いによる収縮の差から生じるそりの発生を防止することが望ましい。
【００１６】
ガイド３は、キャリアテープ載置面１１に断面Ｔ字型のプレート１２を設けて、キャリアテープ載置面１１とＴ字型のプレート１２との間にキャリアテープ６の端を支持する溝１３を長手方向に沿って両側に形成している。したがって、隣り合うガイド３，３の支持溝１３，１３間にキャリアテープ６を支持することができる。また、ガイド３の下面に前記取付部５の孔７に嵌合する突起８を取付部５の本数や配置に応じて４箇所設けたもので、上方向から前記多数の孔７のうち適当な孔を選択して前記孔７に向けて突起８を差し込んで嵌合させることにより、前記複数の取付部５，５，５，５にわたって（取付部５に対し直角方向に）着脱自在に取り付けられる。したがって、ガイド３の取り付け位置を多数の孔７の列方向に変えることができるので、一方のガイド３を隣り合う他方のガイド３に近づけたり遠ざけたりして取り付けて収納幅を調整することができる。
【００１７】
なお、ガイド３の端近くに、キャリアテープ６の孔に挿入可能な位置決め用ピン（平行ピン）１５を差し込んで上方向に突設している。
【００１８】
次に本発明実施例のキャリアテープ収納用トレー１の使用方法を、図示実施例に基づいて説明する。
【００１９】
図５はガイド３の取付部２への取り付け方法を示す一部破断の正面図であり、図６は図３のエンボスキャリアテープを載置した状態を示す平面図である。あらかじめテープリールから分けて購入した部品入りエンボスキャリアテープ６あるいは個々に購入した部品を空のエンボスキャリアテープ６に入れたものを所定長さにカットして用意しておく。まず使用するエンボスキャリアテープ６の幅に合わせて隣り合うガイド３の一方のガイド３と他方のガイド３との距離を合わせて図５に示すように各ガイド３の突起８を取付部５の孔７のいずれかに差し込んで嵌合させ各ガイド３を取付部５に固定しておく。次に、図６に示したようにエンボスキャリアテープ６の両端を各ガイド３の向かい合う支持溝１３に挿入して、エンボスキャリアテープ６の孔１４を固定ガイド３の位置決めピン１５に挿入して位置決めする。
【００２０】
キャリアテープ６の幅の変更に応じて各ガイド３，３間の間隔を変える場合には、ガイド３の一方を上方に引き抜いた後、使用するエンボスキャリアテープ６の幅に対向する支持溝１３，１３の間隔を合わせてからガイド３の突起８を取付部５の孔７のうち適切な孔７に挿入して、取り付けた後、前述と同様にエンボスキャリアテープ６の両端を各ガイドの向かい合う支持溝１３に挿入して、エンボスキャリアテープ６の孔１４を固定ガイド３の位置決めピン１５に挿入して位置決めする。
【００２１】
上記第一実施例においては、ガイド３の突起８を取付部５の孔７に差し込んで嵌合させ各ガイド３を取付部５に固定する方法を示したが、ガイド３に外れる方向に力がかった時に抜け止めとなる構造を追加することが望ましい。以下、この抜け止めとなる構造を追加した第二実施例について説明する。
【００２２】
図７は本発明第二実施例のキャリアテープ収納用トレーの概要を示す斜視図であり、図８は図７の分解斜視図であり、図９は本発明第一実施例のキャリアテープ収納用トレーの平面図であり、図１０は図９の正面図である。
【００２３】
本発明第二実施例のキャリアテープ収納用トレー２１は、上記第一実施例と同様に板状のベース２２と、該ベース２２上に並設された複数の長尺状の取付部２５（図示実施例では３本）と、該取付部２５に直交するように複数の取付部２５，２５，２５にわたって取り付けられるキャリアテープ載置用ガイド２３，２３，・・を少なくとも２本（一対）（図示実施例では５本つまり４対）備えたものである。
【００２４】
板状のベース２２には、上面に多数の孔２７を４ｍｍの間隔で長手方向に一列に設けた長尺状の取付部２５を適度な間隔で複数配置している（図示実施例では３本）。取付部２５はベース２２にネジ止めされているが、ベース２２側の外側の取付孔２９を取付部２５の長手方向に長孔にして、材質の違いによる収縮の差から生じるそりの発生を防止している。
【００２５】
取付部２５は、孔２７をガイド２３の長手方向に長孔に形成するとともに孔２７の横に目盛り３６を設けている。この目盛り３６は、孔２７の間隔に合わせて４ミリ間隔でマーク４５をつけている。このマーク４５はガイド２３を取付部２５に取り付ける時にガイド２３の外形線にそってマーク４５が見える位置につけられる。また、このマーク４５が隣り合うマーク４５の位置をガイド２３の長手方向にずらして、４つ目のマーク４５のガイド長手方向位置が１つ目のマーク４５のガイド長手方向位置と同じになるようなサイクルに形成しているとともに、１つ目のマーク４５横にＡ、４つ目のマーク４５横にＢ、７つ目のマーク４５横にＣ・・の順の要領で記号をつけているので、各ガイド２３，２３間の取り付け間隔を掴みやすく、ガイド２３の取付位置を合わせやすい効果がある。前記取付部２５の長手方向下部両側に後述するガイド２３のフック部３７等が係合する凹部３８，３９を設けている。
【００２６】
ガイド２３は、キャリアテープ載置面３１に前記第一実施例と同様な構成の断面Ｔ字型のプレート３２を設けて、長手方向に沿って両側に支持溝３３，３３を形成し、隣り合うガイド２３との支持溝３３間にキャリアテープ６を支持することができるようにしている。また、ガイド２３の下面に前記取付部２５の孔２７に嵌合する突起２８を取付部２５の本数や配置に応じて３箇所に設けて、上方向から前記孔２７に向けて突起２８を差し込んで嵌合させることにより、前記複数の取付部２５にわたって（取付部２５に対し直角方向に）着脱自在に取り付けることができる点も前記第一実施例と同様であり、ガイド２３の取り付け位置を多数の孔２７の列方向に変えることができるので、一方のガイド２３を隣り合う他方のガイド２３に近づけたり遠ざけたりして取り付けて収納幅を調整することができる点まで第一実施例と同様である。
【００２７】
ここで第二実施例が、前記第一実施例と異なるのは、まずガイド２３の下面に前記取付部２５の下部の凹部３８に係合するフック部３７を設けている点で、ガイド２３の突起８を取付部２５の相対する長孔２７に挿入して嵌合させた後、スライドさせて、凹部３８とフック部３７を係合させることにより、ガイド２３の上方向への抜け止めとすることができるようにしている。
【００２８】
次に、第一実施例と異なるのは、前記ガイド２３のスライド進行方向先端に前記スライド時に前記取付部２５のフック部３７と係合する凹部３８の反対側の凹部３９に着脱自在に係合するスナップ部４０を設けた点である。スナップ部４０の先端には凹部３９に係止する爪部４１を設けている。さらに、第一実施例と異なるのは、このスナップ部４０には、係合解除用のレバー４２を設けている点である。
【００２９】
また、前記取付部２５の上面にガイド２３を取付部２５に取り付ける時にフック部３７がじゃまにならないようにガイド２３の挿入位置を合わせるための矢印４３を、取付部２５の外形線に合わせて設けて、ガイド２３の挿入位の挿入位置を矢印４３に合わせて容易に行うことができるようにしている。さらに、矢印４３近傍に前記スナップ部４０と凹部３９と係合させる時（ロックの表示）とその係合を解除してガイド２３を取り外す時（解除の表示）のスライド方向を示す矢印４６を形成している。
【００３０】
次に本発明第二実施例のキャリアテープ収納用トレー２１の使用方法を、図示実施例に基づいて説明する。
【００３１】
図１１は使用状態を示す要部の平面図であり、図１２は図１１の要部のＡ−Ａ断面図であり、図１３は図１１の要部のＢ−Ｂ断面図であり、図１４はガイド２３を取り外す方法を示す断面図であり、図１５はエンボスキャリアテープ６をガイド２３に載置した状態を示す斜視図である。あらかじめテープリールから分けて購入した部品入りエンボスキャリアテープ６あるいは個々に購入した部品を空のエンボスキャリアテープ６に入れたものを所定長さにカットして容易しておく。まず使用するエンボスキャリアテープ６の幅に合わせて向かい合うガイド２３の一方のガイド２３と他方のガイド２３との距離を合わせるとともに、図１１の上部に示したようにガイド２３の挿入位置を矢印４３に合わせて各ガイド２３の突起８を取付部２５の孔２７に差し込んで各ガイド３を取付部２５に挿入して嵌合させ固定しておく。その状態が図１２の断面図に示した状態であって、突起２８は孔２７の端にあり、フック３７部は凹部３８と係合しない位置にある。それから第一実施例と異なり、図１１上部及び図１２に示した状態からフック３７を取付台２５の凹部３８に係合する方向（矢印のロック方向）に、ガイド２３をスライドさせる。すると、図１３に示したように各フック部３７が複数の取付部２５の各凹部３８に係合するとともに、スナップ部４０の爪部４１が凹部３８と反対側の凹部３９に係合する。したがって、これらの係合によりガイド２３の上方向への確実な抜け止めとすることができる。次に、エンボスキャリアテープ６の両端を各ガイド２３の向かい合う溝に挿入して、エンボスキャリアテープ６の孔１４をガイド２３の位置決めピン１５に挿入して図１５に示したように位置決めする。
【００３２】
キャリアテープ６の幅の変更に応じて各ガイド２３間の間隔を変える場合には、図１４に示したようにレバー４２を持ち上げてスナップ部４０の爪部４１と凹部３９との係合を外して矢印の解除方向にガイド２３をスライドさせてからガイド２３を上方向に引き抜く。それから使用するエンボスキャリアテープ６の幅に合わせて対向する支持溝１３，１３の間隔を合わせてからガイド２３の突起２８を取付部２５の孔２７のうち適切な孔２７に挿入して、取り付けた後、前述と同様にエンボスキャリアテープ６の両端を各ガイド２３の向かい合う支持溝１３に挿入して、エンボスキャリアテープ６の孔１４をガイド２３の位置決めピン１５に挿入して位置決めする。
【００３３】
上記各実施例において、取付部５，２５の孔７，２７は、４ｍｍ間隔で形成されているので、一般に普及している８，１２，１６，２４，３２ｍｍのエンボスキャリアテープ幅や、その他４ｍｍの倍数のキャリアテープ幅（例えば４４ｍｍ，５６ｍｍ）に対応することができる。
【００３４】
本発明は上記実施例に限定されるわけではなく、例えば上記各実施例において取付部５，２５に孔７，２７を設け、ガイド３，２３に孔７，２７に嵌る突起８，２８を設けたが、逆にガイド３，２３に孔を設け、取付部５，２５に突起を設けても良い。
【００３５】
また、上記各実施例では、ガイド３，２３下面の突起８，２８をそれぞれ４箇所，３箇所設けているが、この数に限定されるわけではなく、取付部５，２５の数や配置に応じて、適宜本数や位置を決めると良い。
【００３６】
また、上記図示実施例では、取付部５，２５とベース２，２２を別体に形成し両者をネジ止めしているが、射出成形等により樹脂で一体に形成しても良い。
【００３７】
【発明の効果】
本発明は、上記のように構成されているので次に記載する効果を奏する。
【００３８】
請求項１の発明によれば、孔と突起の嵌合によりガイドを着脱自在に取り付けでき、ガイドの取り付け位置を孔または突起の列方向に変えることができるので、隣り合うガイドのうち一方のガイドを他方のガイドに近づけたり遠ざけたりして取り付けて収納幅を調整することにより、１つのトレーで多種の幅のキャリアテープを収納することができる。従って、少量多品種基板に実装部品を搭載する場合に実装する部品に合わせて多種の専用トレーを用意する必要がなくなるので、コストを削減することができるキャリアテープ収納用トレーを提供することができる。
【００３９】
請求項２の発明によれば、ガイドまたは取付部の突起を取付部またはガイドの相対する長孔に挿入して嵌合させた後、スライドさせて、ガイドのフック部と取付部の凹部を係合させることにより、ガイドの上方向への抜け止めとすることができる。
【００４０】
請求項３の発明によれば、前記凹部は両側に形成され、前記スライド時に前記取付部のフック部と係合する凹部と反対側の凹部に着脱自在に係合するスナップ部を設けることにより、より確実にガイドの上方向への抜け止めとすることができる。また、必要に応じてスナップ部と凹部との係合を外してスライドさせてから上方向に引き抜くことによりガイドを取り外すことができる。
【００４１】
請求項４の発明によれば、前記取付部の孔または突起の横にそれらの間隔に応じて形成された多数のマークからなる目盛りを設けるとともに、この目盛りは隣り合うマークの位置をガイドの長手方向にずらした位置に設けているので、目視しやすくガイドの取り付け位置を合わせやすい効果がある。
【００４２】
請求項５の発明によれば、前記ガイドの上面に前記ガイドを取付部に取り付ける時に前記フック部がじゃまにならないようにガイドの挿入位置を合わせるための位置合わせ用の矢印を設けることにより、ガイドの挿入位置を矢印に合わせて容易に行うことができる。
【図面の簡単な説明】
【図１】本発明第一実施例のキャリアテープ収納用トレーの概要を示す斜視図である。
【図２】図１の分解斜視図である。
【図３】本発明第一実施例のキャリアテープ収納用トレーの平面図である。
【図４】図３の一部破断の正面図である。
【図５】ガイドの取付部への取り付け方法を示す一部破断の正面図である。
【図６】図３のエンボスキャリアテープを載置した状態を示す平面図である。
【図７】本発明第二実施例のキャリアテープ収納用トレーの概要を示す斜視図である。
【図８】図１の分解斜視図である。
【図９】本発明第二実施例のキャリアテープ収納用トレーの平面図である。
【図１０】図９の正面図である。
【図１１】使用状態を示す要部の平面図である。
【図１２】図１１のＡ−Ａ断面図である。
【図１３】図１２のＢ−Ｂ断面図である。
【図１４】ガイドを取り外す方法を示す断面図である。
【図１５】エンボスキャリアテープをガイドに載置した状態を示す斜視図である。
【符号の説明】
１　　キャリアテープ収納用トレー
２　ベース
３　ガイド
５　取付部
６　エンボスキャリアテープ
７　孔
８　突起
１３　支持溝
２１　キャリアテープ収納用トレー
２２　ベース
２３　ガイド
２５　取付部
２７　孔
２８　突起
３３　支持溝
３６　目盛り
３７　フック部
３８　凹部
３９　凹部
４０　スナップ部
４１　レバー
４３　矢印
４５　マーク
【図１】
2004022728.tif 000003
【図２】
2004022728.tif 000004
【図３】
2004022728.tif 000005
【図４】
2004022728.tif 000006
【図５】
2004022728.tif 000007
【図６】
2004022728.tif 000008
【図７】
2004022728.tif 000009
【図８】
2004022728.tif 000010
【図９】
2004022728.tif 000011
【図１０】
2004022728.tif 000012
【図１１】
2004022728.tif 000013
【図１２】
2004022728.tif 000014
【図１３】
2004022728.tif 000015
【図１４】
2004022728.tif 000016
【図１５】
2004022728.tif 000017